(57)【要約】【課題】組み立てが容易であって、かつ、低価格である、シューズやスリッパを収納するために使用するシューズラック部材と、そのシューズラック部材を有するシューズラックを提供する。【解決手段】互いに対向するように配置された一対の脚部と、一対の脚部を連結する連結部と、を有し、連結部は、伸縮可能な棒状部材を取り付け可能な溝部と、を有するシューズラック部材である。【選択図】        図１
0003233191.tif 000002
【実用新案登録請求の範囲】
【請求項１】
互いに対向するように配置された一対の脚部と、
前記一対の脚部を連結する連結部と、を有し、
前記連結部は、伸縮可能な棒状部材を取り付け可能な溝部と、を有するシューズラック部材。
【請求項２】
前記シューズラック部材は、コの字状を呈する請求項１記載のシューズラック部材。
【請求項３】
前記一対の脚部の上端に、他のシューズラック部材の脚部を載置する凹部と、
前記一対の脚部の下端に、さらに別の他のシューズラック部材の脚部を載置する凹部と嵌合する凸部と、を有する請求項１または２記載のシューズラック部材。
【請求項４】
請求項１から３のいずれかに記載のシューズラック部材と、
伸縮可能な棒状部材と、を有し、
前記棒状部材は、前記溝部に嵌合するシューズラック。
【請求項５】
請求項３に記載のシューズラック部材と、
伸縮可能な棒状部材と、を有し、
前記シューズラック部材を上下に積み上げるとともに、
前記棒状部材は、上下に積み上げた前記シューズラック部材のそれぞれの溝部に嵌合するシューズラック。
【考案の詳細な説明】
【技術分野】
【０００１】
本考案は、シューズやスリッパを収納するために使用するシューズラック部材と、そのシューズラック部材を有するシューズラックに関するものである。
【背景技術】
【０００２】
シューズやスリッパを収納するシューズラックについては、例えば比較的大型のもの、あるいは比較的小型のものが販売されている。比較的大型のものとしては、特開２００２−３４６７１号公報に記載されている。また、比較的小型のものとしては、特開２００２−２８２０６２号公報に記載されている。
【０００３】
しかしながら、特開２００２−３４６７１号公報に記載されている「独立使用できる棚ユニットＡ１と、その少なくとも一側に付加設置されて別の棚単位を構成する補助棚ユニットＡ２とからなる収納棚であって、棚ユニットＡ１は、中空枠で形成した左右一対の側枠１と、両側枠１の間に掛け渡される棚板２とを含み、側枠１には、棚受具１２用の掛止穴１０の一群が縦列状に設けられており、補助棚ユニットＡ２は、先の側枠１と平行に起立設置される、中空枠からなる棚枠２５と、両枠１・２５の間に掛け渡される棚板２６とを含み、棚枠２５には、側枠１の掛止穴１０と同一仕様の掛止穴１０の一群が縦列状に設けられており、棚枠２５の下部に段差吸収用の調整機構２７が設けてあることを特徴とする段差部用の収納棚。」は、独身者には大きすぎるとともに、その組み立てが困難であり好ましいものではない。
【０００４】
一方で、特開２００２−２８２０６２号公報に記載されている「水平板（１）と垂直板（２）との接する辺に開閉できる支点軸（３）を設け、水平板（１）の側板（１ａ）より垂直板（２）の側面へ、折れ曲がり可能な補強軸（４）を設け、水平板（１）の裏面に消臭剤を入れるケース（５）を設け、垂直板（２）の裏面にマグネット（６）を装着したシューズラック。」は、小型のものであるものの、１足しか置くことができず独身者といえども不利不便である。
【０００５】
またいずれも、組立てが容易ではなく、また、比較的コストがかさむものであり、価格の面からも適切でない。
【０００６】
【特許文献１】特開２００２−３４６７１号公報
【特許文献２】特開２００２−２８２０６２号公報
【考案の開示】
【考案が解決しようとする課題】
【０００７】
本考案は前記の実情に鑑みなされたもので、その課題は、組み立てが容易であって、かつ、低価格である、シューズやスリッパを収納するために使用するシューズラック部材と、そのシューズラック部材を有するシューズラックを提供することである。
【課題を解決するための手段】
【０００８】
前記の課題を解決するため、第１観点のシューズラック部材は、互いに対向するように配置された一対の脚部と、一対の脚部を連結する連結部と、を有し、連結部は、伸縮可能な棒状部材を取り付け可能な溝部と、を有するというものである。
【０００９】
また、第２観点のシューズラック部材は、第１観点において、シューズラック部材は、コの字状を呈するというものである。
【００１０】
また、第３観点のシューズラック部材は、第１観点または第２観点において、一対の脚部の上端に、他のシューズラック部材の脚部を載置する凹部と、一対の脚部の下端に、さらに別の他のシューズラック部材の脚部を載置する凹部と嵌合する凸部と、を有するというものである。
【００１１】
また、第４観点のシューズラックは、第１観点から第３観点のシューズラック部材と、
伸縮可能な棒状部材と、を有し、棒状部材は、溝部に嵌合するというものである。
【００１２】
また、第５観点のシューズラックは、第１観点から第３観点のシューズラック部材と、
伸縮可能な棒状部材と、を有し、シューズラック部材を上下に積み上げるとともに、
棒状部材は、上下に積み上げたシューズラック部材のそれぞれの溝部に嵌合するというものである。
【考案の効果】
【００１３】
本考案は以上のように構成され、かつ作用するものであるものであるから、組み立てが容易であって、低価格である、シューズやスリッパを収納するために使用するシューズラック部材と、そのシューズラック部材を有するシューズラックを提供することができる。
【図面の簡単な説明】
【００１４】
【図１】第１実施例のシューズラックの斜視図である。
【図２】Ａは、シューズラック部材の正面図である。Ｂは、シューズラック部材の平面図である。Ｃは、シューズラック部材の側面図である。
【図３】Ａは、棒状部材が収縮した状態の平面図である。Ｂは、棒状部材が伸長した状態の平面図である。
【図４】第２実施例のシューズラックの斜視図である。
【図５】Ａは、第１実施例のシューズラックの使用状態図である。Ｂは、第２実施例のシューズラックの使用状態図である。
【図６】Ａは、第２実施例のシューズラック部材の正面図である。Ｂは、第２実施例のシューズラック部材の平面図である。Ｃは、第２実施例のシューズラック部材の側面図である。
【図７】第３実施例のシューズラックの斜視図である。
【図８】第３実施例のシューズラックの使用状態図である。
【考案を実施するための最良の形態】
【００１５】
以下図示の実施形態を参照して本実施例について説明する。第１実施例のシューズラック部材１０は、一対の脚部２０と、その脚部２０の上端部２１同士を連結する連結部３０とを有する。また、第１実施例のシューズラック部材１０は、コの字状を呈し、一対の脚部２０と、その脚部２０の上端部２１同士を連結する連結部３０とは一体で成形されている。また、一対の脚部２０は、互いに対向するように配置され、それら一対の脚部２０は立設されている。
【００１６】
また、第１実施例のシューズラック部材１０は、ポリプロピレン製であることが好ましい。脚部２０の上端部２１には、凹部２２を有する。また、脚部２０の下端部２３には、下方に突出する凸部２４を有する。これらについてはさらに後述する。
【００１７】
また、連結部３０には所定間隔をあけて、後述する伸縮可能な棒状部材４０を載置するための溝部３１、３１を有する。これについてはさらに後述する。
【００１８】
棒状部材４０は、一端部５１を有する第１棒状部材５２と、他端部６１を有する第２棒状部材６２とを有する。第１棒状部材５２の内部に第２棒状部材６２が螺合するように接続され、第１棒状部材５２に対し、第２棒状部材６２を軸周りに回転させることで、その棒状部材４０は伸縮自在に構成されている。
【００１９】
また、一端部５１はその先端に向かって徐々に拡径するテーパー状を呈するものであり、同様に他端部６１も、その先端に向かって徐々に拡径するテーパー状を呈するものである。
【００２０】
また、上述の溝部３１、３１は、先端に向かって徐々に拡径するテーパー状を呈する一端部５１および他端部６１の形状に倣うように構成されており、横向きの台形状を呈している。したがって、上述の溝部３１、３１に第１棒状部材５２の一端部５１あるいは、第２棒状部材６２の他端部６１が、嵌合するように載置することができる。
【００２１】
上述の溝部３１、３１の間隔は、２本の棒状部材４０の間隔であり、その２本の棒状部材４０、４０にシューズを載置することができる。したがって、第１実施例のシューズラック部材１０は、組み立てが容易であって、かつ、低価格である、シューズやスリッパを収納するシューズラック部材と、そのシューズラックを提供することができる。
【００２２】
また、第１実施例のシューズラック部材１０は上下に積み上げることができる。具体的には、下に位置する第１実施例のシューズラック部材１０に、その第１実施例のシューズラック部材１０と同一の他の第１実施例のシューズラック部材１０'をその上に積み上げることができる。この場合、下に位置する第１実施例のシューズラック部材１０における凹部２２、２２に、他の第１実施例のシューズラック部材１０'における脚部２０の下端部２３に配置する凸部２４を嵌合するように配置する。このようにして積み上げることができる。
【００２３】
第１実施例のシューズラック１００は、上記構成の第１実施例のシューズラック部材１０、１０と、棒状部材４０、４０とを有するものであり、第１実施例のシューズラック部材１０、１０を所定間隔離して立設し、その所定間隔に対応するように棒状部材４０、４０を適宜伸長させる。
【００２４】
第１実施例のシューズラック部材１０、１０におけるそれぞれの溝部３１、３１、３１、３１に、棒状部材４０、４０における一端部５１、５１あるいは、他端部６１、６１を嵌合し、それらを組み立てる。
【００２５】
また、第２実施例のシューズラック２００は、第１実施例のシューズラック１００に比べそれを縦に積み上げたいわば２階建てのシューズラックと呼ぶものであり、上記構成の第１実施例のシューズラック１００に、さらにシューズラック部材１０と同一のシューズラック部材１０’、１０’と、棒状部材４０、４０とを有するものであり、他の第１実施例のシューズラック部材１０’、１０’を所定間隔離して立設し、その所定間隔に対応するように棒状部材４０、４０を伸長させている。
【００２６】
また、シューズラック部材１０、１０の上に、それぞれ他の第１実施例のシューズラック部材１０’１０’を積み上げ、棒状部材４０、４０を、それぞれの溝部３１、３１、３１、３１に、一端部５１、５１あるいは、第２棒状部材６２、６２を嵌合し、それらを組み立てる。このようにして第２実施例のシューズラック２００を組み立てることができる。従って、第２実施例のシューズラック２００は、同一の構成のシューズラック１００とシューズラック１００’と、を有するものである。
【００２７】
このようにシューズラック部材１０と棒状部材４０を組み立てることにより極めて簡単に第１実施例のシューズラック１００あるいは第２実施例のシューズラック２００を組み立てることができ、また簡単に分解することも出来る。また分解した各構成は、保管場所を必ずしも必要としないものである。なお、第１実施例のシューズラック１００は、棒状部材４０、４０を最大限伸長することで、最大で８足のシューズＳを保管することができ、この場合、最大限伸長した棒状部材４０、４０を支えるために、その棒状部材４０の中央部分をさらにシューズラック部材１００で支持することができる（図示せず）。また、第２実施例のシューズラック２００は、最大で１２足のシューズＳを保管することができる（図示せず）。
【００２８】
つぎに、第２実施例のシューズラック部材３００は、一対の脚部３２０と、その脚部３２０の上端部３２１同士を連結する連結部３３０とを有する。また、第２実施例のシューズラック部材３００は、コの字状を呈し、一対の脚部３２０と、その脚部３２０の上端部３２１同士を連結する連結部３３０とは一体で成形されている。なお一対の脚部３２０の間隔は、シューズラック部材１０における一対の脚部２０の間隔よりも狭く構成している。また、一対の脚部３２０は、互いに対向するように配置され、それら一対の脚部３２０は立設されている。
【００２９】
また、連結部３３０には所定間隔をあけて、上述の伸縮可能な棒状部材４０を載置するための溝部３３１、３３１を有する。これについてはさらに後述する。
【００３０】
また、上述の溝部３３１、３３１は、先端に向かって徐々に拡径するテーパー状を呈する棒状部材４０における一端部５１および他端部６１の形状に倣うように構成されており、横向きの台形状を呈している。したがって、上述の溝部３３１、３３１に第１棒状部材５２の一端部５１あるいは、第２棒状部材６２の他端部６１が、嵌合するように載置される。尚、上述の溝部３３１、３３１の間隔は、スリッパＳ１を引っかけるように保管することができるように設定することができる。
【００３１】
第３実施例のシューズラック４００は、上記構成の第２実施例のシューズラック部材３００、３００と、棒状部材４０、４０とを有するものであり、第２実施例のシューズラック部材３００、３００を所定間隔離して立設し、その所定間隔に対応するように棒状部材４０、４０を伸長させる。
【００３２】
第２実施例のシューズラック部材３００、３００におけるそれぞれの溝部３３１、３３１、３３１、３３１に、棒状部材４０、４０における一端部５１、５１あるいは、他端部６１、６１を嵌合し、それらを組み立てる。
【００３３】
第３実施例のシューズラック４００は例えばスリッパＳ１を保管することが好ましく、棒状部材４０、４０の間にスリッパＳ１を引っかけるように保管することができる。なお、第３実施例のシューズラック４００は、棒状部材４０、４０を最大限伸長することで、最大で６足のスリッパＳ１を保管することができる。この場合、最大限伸長した棒状部材４０、４０を支えるために、その棒状部材４０の中央部分をさらにシューズラック部材３００で支持することができる（図示せず）。
【符号の説明】
【００３４】
１０  シューズラック部材
２０  脚部
３０  連結部
２１  上端部
２２  凹部
２３  下端部
２４  凸部
３１  溝部
４０  棒状部材
５１  一端部
６１  他端部
１００  第１実施例のシューズラック
２００  第２実施例のシューズラック
３００  第２実施例のシューズラック部材
３２０  脚部
３３０  連結部
３３１  溝部
４００  第３実施例のシューズラック
【図１】
0003233191.tif 000003
【図２】
0003233191.tif 000004
【図３】
0003233191.tif 000005
【図４】
0003233191.tif 000006
【図５】
0003233191.tif 000007
【図６】
0003233191.tif 000008
【図７】
0003233191.tif 000009
【図８】
0003233191.tif 000010